(57)【要約】【課題】基地局の有効到達域間の境界エリア内における可聴度を改善させる。【解決手段】本発明に係るセルラー無線システムは、カバレージエリア内に位置する移動局に対する無線接続を形成するためのトランシーバ手段及びアンテナ手段を備えた基地局と、少なくとも第１の基地局及び第２の基地局の両方に対して作動的に接続されたアンテナ手段であって、さらに少なくとも前記第１の基地局及び前記第２の基地局から受信される信号を無線パスを介して送信する手段と、これに対応して、該無線パスを介して受信される信号を少なくとも前記第１の基地局及び前記第２の基地局に対して供給する手段と、を備えたアンテナ手段と、を具備し、前記基地局に対する負荷を調整するために、前記共通のアンテナ手段に対して、前記第１の基地局及び前記第２の基地局により供給される信号を前記無線パスを介して相互に異なる電力レベルでさらに送信させるための制御手段を含む。【選択図】図１
2007282288.tif 000002
【特許請求の範囲】
【請求項１】
カバレージエリア内に位置する移動局（ＭＳ）に対する無線接続を形成するためのトランシーバ手段及びアンテナ手段（ＡＮＴ１、ＡＮＴ２、ＡＮＴ３）を備えた基地局（ＢＴＳ１、ＢＴＳ２、ＢＴＳ３）と、
少なくとも第１の基地局（ＢＴＳ１）及び第２の基地局（ＢＴＳ２）の両方に対して作動的に接続されたアンテナ手段（ＡＮＴ、ＡＮＴ’、ＡＮＴ”）であって、さらに少なくとも前記第１の基地局（ＢＴＳ１）及び前記第２の基地局（ＢＴＳ２）から受信される信号を無線パスを介して送信する手段と、これに対応して、該無線パスを介して受信される信号を少なくとも前記第１の基地局（ＢＴＳ１）及び前記第２の基地局（ＢＴＳ２）に対して供給する手段と、を備えたアンテナ手段と、
を具備し、
前記基地局に対する負荷を調整するために、前記共通のアンテナ手段に対して、前記第１の基地局（ＢＴＳ１）及び前記第２の基地局（ＢＴＳ２）により供給される信号を前記無線パスを介して相互に異なる電力レベルでさらに送信させるための制御手段を含む、
ことを特徴とする、セルラー無線システム。
【請求項２】
前記共通のアンテナ手段（ＡＮＴ、ＡＮＴ’、ＡＮＴ”）が、前記第１の基地局（ＢＴＳ１）及び前記第２の基地局（ＢＴＳ２）から或る距離をおいて配置されている、請求項１に記載のセルラー無線システム。
【請求項３】
前記制御手段が、前記共通のアンテナ手段を幾つかの選択的な状態のうちの１つの状態に導くように構成されており、
第１の状態では、前記共通のアンテナ手段（ＡＮＴ、ＡＮＴ’）は、前記第１の基地局により供給される信号を前記無線パスを介してさらに送信し、これに対応して、該無線パスを介して受信される信号を前記第１の基地局（ＢＴＳ１）のみに対して供給するために、該第１の基地局（ＢＴＳ１）のみに対して作動的に接続され、
第２の状態では、前記共通のアンテナ手段（ＡＮＴ、ＡＮＴ’）は、前記第２の基地局により供給される信号を前記無線パスを介してさらに送信し、これに対応して、該無線パスを介して受信される信号を前記第２の基地局（ＢＴＳ２）のみに対して供給するために、該第２の基地局（ＢＴＳ２）のみに対して作動的に接続され、
第３の状態では、前記共通のアンテナ手段（ＡＮＴ、ＡＮＴ’）は、前記第１の基地局（ＢＴＳ１）及び前記第２の基地局（ＢＴＳ２）により供給される信号を前記無線パスを介してさらに送信し、これに対応して、該無線パスを介して受信される信号を該第１の基地局（ＢＴＳ１）及び該第２の基地局（ＢＴＳ２）に対して供給するために、該第１の基地局（ＢＴＳ１）及び該第２の基地局（ＢＴＳ２）の両方に対して作動的に接続される、請求項１又は請求項２に記載のセルラー無線システム。
【請求項４】
前記制御手段（ＢＳＣ１、４、６、Ｓ１）が、前記第１の基地局（ＢＴＳ１）及び前記第２の基地局（ＢＴＳ２）に対するトラフィック負荷に応答し、これにより、
前記制御手段は、
前記第２の基地局（ＢＴＳ２）に対するトラフィック負荷が前記第１の基地局（ＢＴＳ１）に対するトラフィック負荷より著しく高いときには、前記共通のアンテナ手段（ＡＮＴ、ＡＮＴ’）を前記第１の状態に導くように構成され、
これに対応して、前記第１の基地局（ＢＴＳ１）に対するトラフィック負荷が前記第２の基地局（ＢＴＳ２）に対するトラフィック負荷より著しく高いときには、前記共通のアンテナ手段（ＡＮＴ、ＡＮＴ’）を前記第２の状態に導くように構成される、請求項１から請求項３のいずれかに記載のセルラー無線システム。
【請求項５】
前記第１の基地局（ＢＴＳ１）又は前記第２の基地局（ＢＴＳ２）の基地局コントローラ（ＢＳＣ１）が前記制御手段を形成する、請求項１から請求項４のいずれかに記載のセルラー無線システム。
【請求項６】
前記制御手段（４、６、Ｓ１）が、前記共通のアンテナ手段（ＡＮＴ’）に関連して配置された別々の制御ユニットにより構成される、請求項３又は請求項４に記載のセルラー無線システム。
【請求項７】
拡散スペクトルシステム、好ましくはＣＤＭＡシステムである、請求項１から請求項６のいずれかに記載のセルラー無線システム。
【請求項８】
少なくとも第１の基地局（ＢＴＳ１）及び第２の基地局（ＢＴＳ２）の両方に対して作動的に接続されたアンテナ手段であってさらに少なくとも前記第１の基地局（ＢＴＳ１）及び前記第２の基地局（ＢＴＳ２）から受信される信号を無線パスを介して送信するアンテナ手段（ＡＮＴ、ＡＮＴ’、ＡＮＴ”）、を制御するコントローラであって、
前記基地局（ＢＴＳ１、ＢＴＳ２）に対する負荷を調整するために、該第１の基地局（ＢＴＳ１）及び該第２の基地局（ＢＴＳ２）から受信される信号を前記無線パスを介して相互に異なる電力レベルでさらに送信するように、前記アンテナ手段を制御するように構成されている、ことを特徴とするコントローラ。
【請求項９】
共通のアンテナ手段（ＡＮＴ、ＡＮＴ’、ＡＮＴ”）を制御する方法であって、
該共通のアンテナ手段を少なくとも第１の基地局（ＢＴＳ１）及び第２の基地局（ＢＴＳ２）の両方に対して作動的に接続する段階と、
少なくとも前記第１の基地局（ＢＴＳ１）及び前記第２の基地局（ＢＴＳ２）から受信される信号を前記共通のアンテナ手段により無線パスを介して送信する段階と、
前記共通のアンテナ手段に対して、前記第１の基地局（ＢＴＳ１）及び前記第２の基地局（ＢＴＳ２）により供給される信号を前記無線パスを介して相互に異なる電力レベルでさらに送信させることにより、前記基地局（ＢＴＳ１、ＢＴＳ２）に対するトラフィック負荷を調整する段階と、
を含むことを特徴とする方法。
【発明の詳細な説明】
【技術分野】
【０００１】
本発明は、セルラー無線システムに係り、より詳細には、その容量の効率的な利用に係る。
【背景技術】
【０００２】
公知のセルラー無線システムでは、ベースステーションは、それらがカバーする地域が、通常、若干重畳するように配置される。それ故、ベースステーションの有効到達域の境界エリアに位置する移動ステーションは、通常、多数の別のベースステーションの中で最良の可聴度を与えるベースステーションを選択することができる。しかしながら、実際上の理由で、重畳する有効到達域をできるだけ小さくするように隣接ベースステーションを配置することが目的となる。これは、最小数のベースステーションで最大サイズの地域をカバーできるようにする。
【発明の開示】
【発明が解決しようとする課題】
【０００３】
しかしながら、隣接ベースステーションの重畳する有効到達域をできるだけ小さくすることは、問題を引き起こす。例えば、ベースステーションの有効到達域の境界エリアには、システムの可聴度が不充分な陰の領域が存在することになる。更に別の問題として、２つの隣接ベースステーションの一方のトラフィック容量は完全に指定されたが、その他方は、空きトラフィック容量がまだ充分使用できることがある。この場合には、完全に指定されたベースステーションへの接続を試みる移動ステーションは、両ベースステーションを聴取できるベースステーションの重畳する（できるだけ小さな）有効到達域にそれが位置しない限り、テレコミュニケーション接続を確立することができない。それ故、トラフィック負荷をベースステーション間に効率的に分割できるようにするために、隣接ベースステーションの重畳する有効到達域をできるだけ大きくし、できるだけ多数の移動ステーションが、その当該ポイントで聴取できる複数のベースステーションの中からベースステーションを選択できるようにすることが好都合となる。しかしながら、これは、特定サイズのエリア内により多くのベースステーションを構築することが必要となるために、システムの価格を著しく増大する。
【０００４】
本発明の目的は、上記問題を解消すると共に、ベースステーションの有効到達域間の境界エリア内で優れた可聴度を有するセルラー無線システムであって、システムの価格を著しく増加せずに隣接ベースステーションの重畳する有効到達域を広げることができ、且つシステムに得られるトラフィック容量をより効率的に利用できるようにするセルラー無線システムを提供することである。
【課題を解決するための手段】
【０００５】
この目的は、無線有効到達域内に位置する移動ステーションへの無線接続を形成するためのトランシーバ手段及びアンテナ手段を含むベースステーションと、少なくとも第１及び第２のベースステーションに作動的に接続されたアンテナ手段であって、少なくとも第１及び第２のベースステーションから受信した信号を無線経路を経て更に送信する手段と、対応的に、無線経路を経て受信した信号を少なくとも第１及び第２のベースステーションへ供給する手段とを含むようなアンテナ手段とを備えた本発明のセルラー無線システムにより達成される。本発明のセルラー無線システムは、上記ベースステーションの負荷を調整するために、第１及び第２のベースステーションにより供給された信号を上記共通のアンテナ手段が無線経路を経て相互に異なる電力レベルで更に送信するようにさせる制御手段を備えたことを特徴とする。
【０００６】
本発明は、ベースステーション自身の個別のアンテナに加えて、ベースステーションに対する共通のアンテナ手段が配置され、そして両ベースステーションがそれを同時に使用して、エリア内に位置する移動ステーションと通信するように共通のアンテナ手段が装備されたときには、ベースステーションの数を増加する必要なく、陰のエリアを従来よりも効率的に排除できるので、システムの可聴度が著しく改善されるという考え方をベースとする。このようなシステムでは、ベースステーションの負荷を制御ユニットにより調整し、制御ユニットが、アンテナ手段をして、第１及び第２のベースステーションから受信した信号を相互に異なる電力レベルで更に送信するようにさせる。これは、ベースステーションの有効到達域を無段階で調整でき、隣接ベースステーションにより維持される無線セルの負荷を同時に最適に調整できるようにする。
【０００７】
従って、本発明の最も顕著な効果は、著しいコスト増加を伴わずにベースステーションの有効到達域の境界エリア内における可聴度を改善すると同時に、ベースステーションの重畳する有効到達域が大きい場合には隣接ベースステーションのいずれか１つを接続に使用できる移動ステーションが多数含まれるので、有効到達域を調整することにより隣接ベースステーションのトラフィック負荷を無段階に均等化できることである。加えて、ベースステーションの有効到達域が広いことにより、ハンドオーバーの数が減少され、そしてそれらを従来より円滑に実行することができる。というのは、ハンドオーバーの瞬間には、移動ステーションが既に「新たな」ベースステーションの有効到達域へ深く移動しており、従って、新たなベースステーションと移動ステーションとの間の可聴度が全く始めから（ハンドオーバーの後に）優れているからである。
【０００８】
本発明のセルラー無線システムの好ましい実施形態では、システムの制御手段は、例えば、そのときのトラフィック状況に基づいて、アンテナ手段を第１及び第２の両ベースステーションに同時に使用するか或いは第１又は第２のベースステーションのみに使用するように接続することができる。本発明のこの実施形態は、使用可能なトラフィック容量を効率的に利用できるようにする。換言すれば、例えば、第１のベースステーションのトラフィック容量が特定の瞬間に完全に指定されたが、同時に、第２のベースステーションは、まだ充分な空きトラフィック容量を有している場合には、制御ユニットが、共通のアンテナ手段を、それが第２のベースステーションにしか使用できない状態にすることができる。これは、第１のベースステーションの有効到達域を減少し、そして第１及び第２のベースステーションの重畳する有効到達域内に位置するある移動ステーションが第２のベースステーションのエリアへのハンドオーバーを実行して、当然ながら、第１のベースステーションのトラフィック容量を解除するようにさせる。
【０００９】
上記実施形態においては、制御ユニットは、ベースステーション間のトラフィック負荷をできるだけ均一に維持するようにアンテナ手段を制御するよう構成されるのが好ましい。従って、共通のアンテナ手段は、関連ベースステーションのトラフィック容量が完全に使用されるかなり以前にベースステーションの１つに対して使用できないようにされる。
【００１０】
共通のアンテナ素子を制御する制御手段は、１つのベースステーションのベースステーションコントローラである。或いは、この制御手段は、共通のアンテナ手段に関連して構成された独立した制御ユニットでもよく、この制御ユニットは、第１及び第２のベースステーションにより送られたデータのみに基づいて共通のアンテナ手段を制御する。このため、共通のアンテナ手段の制御により、ベースステーションコントローラ又は移動サービス交換センターのようなシステムの高いレベルに負担をかけないようにすることができる。
【００１１】
本発明のセルラー無線システムの好ましい実施形態は、従属請求項２ないし７に記載されている。
【発明を実施するための最良の形態】
【００１２】
以下、添付図面を参照し、本発明のセルラー無線システムの好ましい実施形態について一例として詳細に説明する。
図１は、本発明のセルラー無線システムの第１の好ましい実施形態を示すブロック図である。図１に示すセルラー無線システムは、それ自体知られたいかなるセルラー無線システムでもよく、例えば、「グループスペシャルモービル（ＧＳＭ）」又は「デジタルセルラーシステム（ＤＣＳ）」のような「時分割多重アクセス（ＴＤＭＡ）」の原理に基づいてチャンネルに分割された時分割セルラー無線システムでもよい。しかしながら、以下の説明では、一例として、当該システムは、「コード分割多重アクセス（ＣＤＭＡ）」システムのような拡散スペクトルシステムであると仮定する。
【００１３】
図１に示されたベースステーション（基地局）ＢＴＳ１及びＢＴＳ２のアンテナ手段ＡＮＴ１及びＡＮＴ２によってカバーされる有効到達域が円１及び２で示されている。ベースステーションＢＴＳ１及びＢＴＳ２には、それらの接続において使用するそれ自身の個々の論理チャンネル（例えば、ＴＤＭＡシステムでは異なるタイムスロット、ＦＤＭＡシステムでは異なる周波数、又はＣＤＭＡシステムでは異なる拡散コード）が割り当てられている。ベースステーションＢＴＳ１及びＢＴＳ２の重畳する有効到達域Ａ１内に陰の領域が残らないよう確保するために、共通のアンテナＡＮＴが本発明によりベースステーション間に設けられ、このアンテナの有効到達域が円３で示されている。この共通のアンテナＡＮＴは、ベースステーションＢＴＳ１及びＢＴＳ２からデータ送信リンクＬ１及びＬ２を経て受信した信号を無線経路に更に送信するための手段を備えている。対応的に、共通のアンテナＡＮＴは、無線経路を経て受信した信号を、データ送信リンクＬ１及びＬ２を経て両ベースステーションＢＴＳ１及びＢＴＳ２へ供給するための手段も備えている。
【００１４】
図１のＣＤＭＡシステムでは、各ベースステーションは、それ自身の個々のパイロット信号を送信するように構成され、これに基づいて、移動ステーション（移動局）ＭＳは、ベースステーションを互いに区別すると共に、特定の瞬間に接続に使用するベースステーションを選択する。パイロット信号を送信するために、システムにはある数のコードが前もって指定され、各ベースステーションに使用するために１つのコードが与えられる。移動ステーションは、それが使用するパイロット信号が所定レベルより低下したことを検出すると、パイロット信号を良好に受信できる別のベースステーションを選択する。図１において、共通のアンテナＡＮＴは、両ベースステーションＢＴＳ１及びＢＴＳ２のパイロット信号を無線経路に更に送信するように構成される。従って、図１のベースステーションＢＴＳ１及びＢＴＳ２のパイロット信号は、２つの異なる位置から送信される。従って、図１に示す移動ステーションＭＳにより受信されたベースステーションＢＴＳ１及びＢＴＳ２のパイロット信号は、実質的に等しい強さであり、この移動ステーションは、共通アンテナＡＮＴ及びベースステーションＢＴＳ２のアンテナＡＮＴ２から等距離に配置されると仮定する。それ故、ベースステーションＢＴＳ１又はＢＴＳ２のいずれを使用すべきか自由に判断することができる。
【００１５】
図２は、例えば、図１に示すシステム内に使用するのに適した共通アンテナの好ましい実施形態を示す。図２の実施形態において、アンテナＡＮＴ’は、このアンテナＡＮＴ’を３つの異なる別々の状態間に誘導するのに使用できるスイッチング手段Ｓ１及び制御ユニット４を備えている。
【００１６】
図２は、アンテナ制御に必要な部分のみを示し、これに加えて、アンテナＡＮＴ’は、トランシーバユニット又は増幅器等の他の部分も含むことができる。アンテナにどんな部分が必要とされるかは、主として、ベースステーションと共通アンテナとの間のデータ送信がどのように構成されるかに依存する。このデータ送信は、例えば、高周波信号で実行することができ、この場合に、受信信号は、増幅され、分岐され、そして例えばケーブルを経てベースステーションの受信器へ供給される。この場合、送信信号は、対応的に、ベースステーションから送信周波数で中継され、アンテナ手段は、これら信号を増幅しそしてアンテナ素子へ供給するための増幅器を含む。或いは、共通アンテナは、完全な送信器及び受信器を含んでもよく、この場合に、ベースステーションと共通アンテナとの間のデータ送信は、それ自体知られたデータ送信接続を用いて２進形態で実行することができる。このように、共通のアンテナ手段をして、当該信号を１つのベースステーションのみに、即ち特に信号の行き先であるベースステーションのみに送信させることができる。これは、ベースステーションと共通のアンテナ手段との間のデータ送信接続に必要とされる容量を減少する。更に、送信周波数の信号がケーブルを経てある位置から別の位置へ転送されるときに生じるロスを回避することもできる。
【００１７】
図２に示すケースでは、アンテナＡＮＴ’が第１の状態にあり、これは、アンテナがベースステーションＢＴＳ１（図１に示す）にしか使用できないことを意味し、即ちデータ送信リンクＬ１を経て送信された信号のみがアンテナ素子５へ送られ、そして対応的に、アンテナ素子５で受信された信号がデータ送信リンクＬ１のみを経て送られることを意味する。アンテナＡＮＴ’を第２の状態に入れるために、制御ユニット４は、スイッチング手段Ｓ１を第２の位置へ誘導し、これにより、データ送信リンクＬ２を経て送信された信号のみがアンテナ素子５へ送られ、そして対応的に、アンテナ素子５で受信された信号がデータ送信リンクＬ２のみを経て送られる。アンテナＡＮＴ’を更に第３の状態に入れるために、制御ユニット４は、スイッチング手段Ｓ１を第３の位置に誘導し、これにより、両方のデータ送信リンクＬ１及びＬ２を、コネクタ及び分岐手段６を経てアンテナ素子５に接続することができる。この場合に、アンテナＡＮＴ’は、第１及び第２の両ベースステーションに使用することができる。
【００１８】
図２に示す実施形態において、制御ユニット４は、共通のアンテナＡＮＴ’に関連して配置され、ベースステーションＢＴＳ１及びＢＴＳ２からそれらのトラフィック負荷に関するデータを受け取る。これらのデータに基づいて、制御ユニット４は、ベースステーションＢＴＳ１及びＢＴＳ２のトラフィック負荷ができるだけ均一となるようにスイッチング手段Ｓ１を誘導する。従って、共通アンテナＡＮＴ’の制御は、システムの高いレベルの負荷を増加することはない(ベースステーションコントローラ又は移動サービス交換センターのような)。更に、共通アンテナＡＮＴ’は、個別のベースステーションコントローラにより制御される２つのベースステーションに関連して容易に構成することもできる。図２に示すケースとは異なり、共通アンテナの制御は、当然、ベースステーションコントローラから構成することもでき、従って、図２のような制御ユニットは共通アンテナに必要とされない。
【００１９】
図３は、図２に示す共通アンテナＡＮＴ’の制御を示すフローチャートである。ブロックＡの初期状態において、共通アンテナ手段は、両ベースステーションによって使用されると仮定する。この場合に、制御ユニットは、ベースステーションＢＴＳ１及びＢＴＳ２からそれらのトラフィック状態に関するデータを受信する。
ベースステーションＢＴＳ２が、ベースステーションＢＴＳ１より著しく高い負荷がかかっている場合には、制御ユニットは、ブロックＣにおいて、共通アンテナＡＮＴ’を、それがベースステーションＢＴＳ１にしか使用できない状態へと誘導する。従って、ベースステーション間のエリアにおいてベースステーションＢＴＳ２の有効到達域が増加し、そして対応的に、ベースステーション間のエリアにおいてベースステーションＢＴＳ１の有効到達域が減少する。それ故、ベースステーション間のエリア内に位置する移動ステーションの少なくとも幾つかは、ベースステーションＢＴＳ２ではなく、ベースステーションＢＴＳ１を使用するように切り換わり、ベースステーションの負荷を均等化すると考えることができる。
【００２０】
しかし、ベースステーションＢＴＳ１が、ベースステーションＢＴＳ２より著しく高い負荷である場合には、ブロックＥにおいて、制御ユニットは、アンテナＡＮＴ’を、それがベースステーションＢＴＳ２にしか使用できない状態へと誘導し、これはおそらくベースステーションの負荷を均等化する。図１において、共通アンテナを経てベースステーションＢＴＳ１に接続されると仮定された移動ステーションＭＳは、それがベースステーションＢＴＳ２から受信するパイロット信号がベースステーションＢＴＳ１からのパイロット信号よりも著しく強いことを検出し、そしてベースステーションＢＴＳ２へのハンドオーバーを実行する。
【００２１】
しかし、ベースステーションＢＴＳ１及びＢＴＳ２の負荷がほぼ等しい場合には、ブロックＧにおいて、制御ユニットは、共通アンテナを、それが両ベースステーションＢＴＳ１及びＢＴＳ２に使用できる状態へと誘導する。
【００２２】
図４は、本発明のセルラー無線システムの第２の好ましい実施形態を示すブロック図である。図４の実施形態は、図１に非常に類似しているが、図４のアンテナＡＮＴ”は、ベースステーションＢＴＳ１、ＢＴＳ２及びＢＴＳ３に共通であり、そのベースステーションＢＴＳ１及びＢＴＳ２は共通のベースステーションコントローラ（基地局コントローラ）ＢＳＣ１によって制御され、一方、ベースステーションＢＴＳ３は第２のベースステーションコントローラ（基地局コントローラ）ＢＳＣ２により制御される点が相違する。
【００２３】
図４に示す共通アンテナＡＮＴ”は、図２について説明したものに対応する制御ユニットを備え、これを用いて、ベースステーションコントローラＢＳＣ１、ＢＳＣ２又は移動交換センターからの制御を必要とせずに、異なるベースステーションＢＴＳ１、ＢＴＳ２及びＢＴＳ３間のトラフィック負荷を均等化できるのが好ましい。しかしながら、図２の場合とは異なり、制御ユニットは、異なるベースステーションから受信される信号の送信電力を無段階調整することによってベースステーション間の負荷を調整し、最小負荷のベースステーションの信号が最大の電力で送信されるような形式のものである。換言すれば、共通のアンテナ手段ＡＮＴ”は、異なるベースステーションＢＴＳ１、ＢＴＳ２及びＢＴＳ３の信号を相互に異なる電力レベルで送信する。電力レベルは、異なるベースステーションのトラフィック負荷に基づき制御ユニットにより決定される。
【００２４】
添付図面を参照した上記説明は、単に本発明を例示するものに過ぎないことを理解されたい。それ故、例えば、２つのベースステーションが多数の共通のアンテナ手段をもつことができるが、上述したケースは、単一の共通アンテナ手段をもつベースステーションに関するものであった。当業者であれば、請求の範囲に記載した本発明の精神及び範囲から逸脱せずに種々の変更や修正がなされ得ることが明らかであろう。
【図面の簡単な説明】
【００２５】
【図１】図１は、本発明のセルラー無線システムの第１の好ましい実施形態を示すブロック図である。
【図２】図２は、共通アンテナの好ましい実施形態を示す図である。
【図３】図３は、図２の共通アンテナの制御を示すフローチャートである。
【図４】図４は、本発明のセルラー無線システムの第２の好ましい実施形態を示すブロック図である。
【符号の説明】
【００２６】
ＢＴＳ１  基地局１
ＢＴＳ２  基地局２
ＢＴＳ３  基地局３
ＭＳ  移動局
ＡＮＴ１  アンテナ１
ＡＮＴ２  アンテナ２
ＡＮＴ３  アンテナ３
ＢＳＣ１  基地局コントローラ１
ＢＳＣ２  基地局コントローラ２
【図１】
2007282288.tif 000003
【図２】
2007282288.tif 000004
【図３】
2007282288.tif 000005
【図４】
2007282288.tif 000006